(57)【要約】【課題】ロール紙セット時にロール紙から引き出された長尺状の記録紙の先端部分の幅方向の位置を規定するための紙幅ガイドが、印刷時に排出される記録紙の先端に干渉しないようにすること。【解決手段】ロール紙プリンタ１では、水平なプラテン面１３ａによって規定される印刷位置を経由して水平方向に長尺状の記録紙１２ａが排出される。排紙口４に配置されている左右の第１、第２紙幅ガイド２４、２５の上面２４ａ、２５ａはプラテン面１３ａより低い位置にあり、幅方向の位置を規定している第１、第２側面２４ｃ、２５ｃの排出方向の上流端部は上流側に広がった傾斜側面部分２４ｅ、２５ｅとなっている。排出される記録紙１２ａの先端が第１、２紙幅ガイド２４、２５に当たることが殆どなく、当たった場合でも傾斜側面部分２４ｅ、２５ｅによって円滑に案内される。【選択図】図３
2009184249.tif 000002
【特許請求の範囲】
【請求項１】
印刷ヘッドによる印刷位置を規定しているプラテン面と、
前記印刷位置を通過した後の記録紙を排出するための排紙口と、
前記排紙口から排出される記録紙の幅方向の一方の側面を規定している第１側面を備えた第１紙幅ガイド、および、他方の側面を規定している第２側面を備えた第２紙幅ガイドとを有し、
前記第１紙幅ガイドおよび前記第２紙幅ガイドは、前記プラテン面に対して前記印刷ヘッドから離れる方向に後退した位置に配置されていることを特徴とするロール紙プリンタ。
【請求項２】
請求項１に記載のロール紙プリンタにおいて、
前記第１側面および前記第２側面は、それぞれ、相互に一定の間隔で平行に延びる平行側面部分と、各平行側面部分における記録紙排出方向の上流側の端から上流側に向かって相互に広がっている傾斜側面部分とを備えていることを特徴とするロール紙プリンタ。
【請求項３】
請求項１または２に記載のロール紙プリンタにおいて、
前記プラテン面は前記印刷ヘッドに対向し水平に配置したプラテン面であり、
前記第１紙幅ガイドおよび前記第２紙幅ガイドの各上面は、前記プラテン面よりも低い位置に形成されていることを特徴とするロール紙プリンタ。
【請求項４】
請求項３に記載のロール紙プリンタにおいて、
前記印刷位置を通過した後の記録紙の部分を幅方向に切断して所定長さの記録紙片を得るためのオートカッタを有し、
前記オートカッタによる記録紙切断位置から前記第１および第２紙幅ガイドの各上面における記録紙排出方向の下流側の端までの距離は、前記記録紙片の最小長さの１／２以下となるように設定されていることを特徴とするロール紙プリンタ。
【請求項５】
請求項３または４に記載のロール紙プリンタにおいて、
前記排紙口から排出される記録紙をガイドするためのガイド面を備えた排紙ガイドを有し、
前記ガイド面は、記録紙排出方向の下流側に向かって下方に傾斜している傾斜ガイド面であることを特徴とするロール紙プリンタプリンタ。
【請求項６】
請求項５に記載のロール紙プリンタにおいて、
前記排紙ガイドの前記傾斜ガイド面に沿って落下した記録紙片を受け入れるスタッカを有していることを特徴とするロール紙プリンタ。
【請求項７】
請求項１ないし６のうちのいずれかの項に記載のロール紙プリンタにおいて、
少なくとも前記第１紙幅ガイドは、前記第２紙幅ガイドに対して接近および離れる方向に移動可能であることを特徴とするロール紙プリンタ。
【請求項８】
請求項１ないし７のうちのいずれかの項に記載のロール紙プリンタにおいて、
ロール紙収納部と、
前記ロール紙収納部の開口部を開閉するための開閉蓋と、
前記プラテン面を備えたプラテンフレームと、前記第１および第２紙幅ガイドとは、前記開閉蓋と共に開閉し、
前記開閉蓋を開くと、前記ロール紙収納部から前記排紙口までの記録紙搬送路が開放状態に切り替わることを特徴とするロール紙プリンタ。
【発明の詳細な説明】
【技術分野】
【０００１】
本発明は、ロール紙から繰り出される長尺状の記録紙に印刷を行うロール紙プリンタに関し、さらに詳しくは、ロール紙セット時にロール紙から引き出される記録紙の先端部分の幅方向の位置を規定するための紙幅ガイドを備えたロール紙プリンタに関する。
【背景技術】
【０００２】
レシートなどを発行するロール紙プリンタでは、ロール紙収納部に転動可能な状態で収納されているロール紙から繰り出される長尺状の記録紙を、紙送りローラと押さえローラの間、および、印刷ヘッドとプラテンの間を通した後に、オートカッタによる切断位置を経由して排紙口から引き出された状態にセットする必要がある。ロール紙の交換作業およびセット作業を簡単に行うことができるようにするために、ロール紙収納部の開閉蓋を開けると、紙送りローラ、プラテンも一緒に開き、ロール紙収納部から排紙口に至る記録紙搬送路が開放状態に切り替わる構成のものが知られている。特許文献１、２には、４節の平行リンク機構を用いて開閉蓋と共に記録紙搬送路も開閉する投げ込み式のロール紙供給機構を備えたロール紙プリンタが開示されている。
【０００３】
また、紙幅の異なるロール紙を使用できるようにするために、ロール紙収納部の収納幅が可変となった構成のロール紙プリンタが知られている。特許文献３には収納幅可変式のプリンタが開示されている。
【０００４】
一方、ロール紙のセット時には、ロール紙収納部にロール紙を収納することによりロール紙の幅方向の位置が規定される。しかしながら、ここから繰り出される長尺状の記録紙の幅方向の位置は開放状態の記録紙搬送路によって規定することができない。そこで、従来では、排紙口近傍に左右一対の紙幅ガイドを配置しておき、これらの紙幅ガイドによって排出口から引き出される記録紙の幅方向の位置を規定し、この状態で開閉蓋を閉じることにより、記録紙が幅方向にずれないように記録紙搬送路に沿ってセットできるようにしている。また、ロール紙収納部が収納幅可変式の場合には、紙幅ガイドもそれに応じた紙幅となるように幅方向に移動可能とされる。
【特許文献１】特開２００７−２０３５６３号公報
【特許文献２】特開２００７−２０３５６４号公報
【特許文献３】特開２００６−４４９００号公報
【発明の開示】
【発明が解決しようとする課題】
【０００５】
ここで、紙幅ガイドは、ロール紙セット時に、ロール紙から繰り出される記録紙が幅方向にずれないようにすることを目的としたものであるが、印刷時においては、排紙口から排出される記録紙の先端部の両端の角が、紙幅ガイドに当たり、先端が折れ曲がるなど不具合が発生するおそれがある。
【０００６】
特に、インクジェット式のロール紙プリンタでは、印刷後のインク転写汚れを防止するために、紙送りローラが印刷ヘッドの印刷位置よりも上流側に配置されている。このため、紙送りローラから送り出された後の記録紙は幅方向の規制が無い状態で排紙口まで送り出され、幅方向のずれが生じやすい。よって、排紙口近傍に配置されている紙幅ガイドに当たる可能性が高い。
【０００７】
本発明の課題は、このような点に鑑みて、排紙口から排出される記録紙の先端などに紙幅ガイドが干渉しないようにしたロール紙プリンタを提案することにある。
【課題を解決するための手段】
【０００８】
上記の課題を解決するために、本発明のロール紙プリンタは、
印刷ヘッドによる印刷位置を規定しているプラテン面と、
前記印刷位置を通過した後の記録紙を排出するための排紙口と、
前記排紙口から排出される記録紙の幅方向の一方の側面を規定している第１側面を備えた第１紙幅ガイド、および、他方の側面を規定している第２側面を備えた第２紙幅ガイドとを有し、
前記第１紙幅ガイドおよび前記第２紙幅ガイドは、前記プラテン面に対して前記印刷ヘッドから離れる方向に後退した位置に配置されていることを特徴としている。
【０００９】
本発明では、第１および第２紙幅ガイドがプラテン面に対して印刷ヘッドから離れる方向に後退した位置に配置されている。したがって、プラテン面に沿って送り出される記録紙の先が第１あるいは第２紙幅ガイドに当たり、先端に折れ曲がりなどが生ずることを回避できる。
【００１０】
また、本発明では、前記第１側面および前記第２側面は、それぞれ、相互に一定の間隔で平行に延びる平行側面部分と、各平行側面部分における記録紙排出方向の上流側の端から上流側に向かって相互に広がっている傾斜側面部分とを備えていることを特徴としている。
【００１１】
プラテン面に沿って送り出される記録紙の先端が第１および第２紙幅ガイドの側に折れ曲がった状態となっている場合には、このような先端が第１あるいは第２紙幅ガイドの側面に当たるおそれがある。本発明では、第１、第２紙幅ガイドの第１側面、第２側面が上流側に向かって広がっている。したがって、記録紙の先端は最初に傾斜側面部分に当たるので、当該傾斜側面部分に沿って幅方向の内側に円滑に案内されながら搬送される。よって、紙詰まりの発生もなく記録紙を排出することができる。
【００１２】
ここで、本発明において、前記プラテン面が前記印刷ヘッドに対向し水平に配置したプラテン面である場合には、前記第１紙幅ガイドおよび前記第２紙幅ガイドの各上面を、前記プラテン面よりも低い位置に形成しておけばよい。
【００１３】
また、本発明において、前記印刷位置を通過した後の記録紙の部分を幅方向に切断して所定長さの記録紙片を得るためのオートカッタを有している場合には、前記オートカッタによる記録紙切断位置から前記第１および第２紙幅ガイドの各上面における記録紙排出方向の下流側の端までの距離を、前記記録紙片の最小長さの１／２以下となるように設定しておくことが望ましい。
【００１４】
切断後の記録紙片は、その排出方向の上流側の半分以下の長さの部分のみが、第１、第２紙幅ガイドの上面などに乗った状態なので、記録紙片は自重によって上面から排出側に落下する。したがって、排紙口の部分に記録紙片が残り、次に排出される記録紙の搬送の妨げになることがない。
【００１５】
さらに、本発明において、前記排紙口から排出される記録紙をガイドするためのガイド面を備えた排紙ガイドを有している場合には、前記ガイド面は、記録紙排出方向の下流側に向かって下方に傾斜している傾斜ガイド面であることが望ましい。排紙口から排出された記録紙片を、その自重によって傾斜ガイド面に沿って速やか滑落させて、排出側に排出させることができる。
【００１６】
この場合には、前記排紙ガイドの前記傾斜ガイド面に沿って落下した記録紙片を受け入れるスタッカを有していることが望ましい。
【００１７】
次に、本発明においては、少なくとも前記第１紙幅ガイドは、前記第２紙幅ガイドに対して接近および離れる方向に移動可能であることが望ましい。第１紙幅ガイドを幅方向に移動させることにより、幅の異なる記録紙を正確にセットすることができる。第１紙幅ガイドを移動させる場合には、固定側の第２紙幅ガイドを基準として排紙経路の幅が調整され（片側基準）、ラック、ピニオンなどを用いて、第１、第２紙幅ガイドを逆方向に同一量移動可能とした場合には、排紙経路の幅方向の中央が幅調整の基準（中央基準）とされる。
【００１８】
また、本発明は、ロール紙収納部と、前記ロール紙収納部の開口部を開閉するための開閉蓋とを有し、前記プラテン面を規定しているプラテンフレームと、前記第１および第２紙幅ガイドとが、前記開閉蓋と共に開閉し、前記開閉蓋を開くと、前記ロール紙収納部から前記排紙口までの記録紙搬送路が開放状態に切り替わる構成のロール紙プリンタに適用することができる。
【発明の効果】
【００１９】
本発明のロール紙プリンタでは、プラテン面を経由して排出される記録紙の先端に干渉しないように左右の第１および第２紙幅ガイドを配置してある。したがって、印刷時に、排出される記録紙の先端が第１、第２紙幅ガイドに当たって先端に折り目が付くなどの弊害を回避でき、記録紙の排出動作を適切に行うことが可能になる。
【発明を実施するための最良の形態】
【００２０】
以下に、図面を参照して、本発明を適用したロール紙プリンタの実施の形態を説明する。
【００２１】
図１は、本発明を適用したインクジェット式のロール紙プリンタを示す外観斜視図である。ロール紙プリンタ１は全体としてほぼ直方体形状をしたプリンタ本体２と、当該プリンタ本体２の前面に取り付けた開閉蓋３とを有している。プリンタ本体２の外装ケース２ａの前面には所定幅の排紙口４が形成されている。排紙口４の下側には排紙ガイド５が前方に突出しており、当該排紙ガイド５の側方には蓋開閉レバー６が配置されている。外装ケース２ａにおける排紙ガイド５および蓋開閉レバー６の下側には、ロール紙出し入れ用の矩形の開口部２ｂが形成されており、この開口部２ｂが開閉蓋３によって封鎖されている。排紙ガイド５の下側には着脱可能な状態で開閉蓋３の前面にスタッカ７が取り付けられている。
【００２２】
図２はロール紙プリンタ１の内部構造の主要部分を示す概略構成図である。ロール紙プリンタ１の内部には、プリンタ本体フレーム１０における幅方向の中央部分にロール紙収納部１１が形成されている。ロール紙収納部１１はロール紙１２がプリンタ幅方向に向いた横置き状態で収納される。ロール紙収納部１１の上方には、プラテンフレーム１３がプリンタ前後方向にほぼ水平に配置されている。プラテンフレーム１３の上面はプリンタ幅方向の延びる略水平なプラテン面１３ａとなっている。このプラテン面１３ａには、上側からインクジェットヘッド１４のノズル面１４ａが一定のギャップで対峙している。インクジェットヘッド１４はヘッドキャリッジ１５に搭載されており、ヘッドキャリッジ１５はプリンタ幅方向に水平に架け渡されたキャリッジガイド軸１６に沿ってプリンタ幅方向に往復移動可能である。ヘッドキャリッジ１５は、公知のキャリッジ搬送機構、例えば、キャリッジモータおよびタイミングベルトを備えたキャリッジ搬送機構によって、プリンタ幅方向に往復移動される。
【００２３】
インクジェットヘッド１４の印刷位置を規定しているプラテン面１３ａの後側には、紙送りローラ１７がプリンタ幅方向の水平に延びる状態で、プラテンプレーム１３に取り付けられている。紙送りローラ１７には上側から押さえローラ１８が押し付け可能となっている。紙送りローラ１７の後側には、ばね力によって上方に付勢されているテンションガイド１９がプラテンフレーム１３に取り付けられている。プラテン面１３ａの前側にはオートカッタ２０が配置されている。オートカッタ２０は例えば下側に固定刃２１、上側に可動刃２２を備えた鋏式のものである。オートカッタ２０の前側には排紙ガイド５が配置されている。排紙ガイド５はプラテンフレーム１３の前端部に固定されている。
【００２４】
排紙ガイド５の上面は傾斜ガイド面５ａとなっており、この傾斜ガイド面５ａには、プリンタ幅方向の両側に第１紙幅ガイド２４および第２紙幅ガイド２５が配置されている。本例の第１紙幅ガイド２４および第２紙幅ガイド２５は、ラック・ピニオン機構によって、相互に反対方向に同一量だけ移動可能な紙幅可変式のものである。
【００２５】
次に、ロール紙収納部１１の後側の上方の部位には、紙送りローラ２６および押さえローラ２７が配置されている。紙送りローラ２６はプラテンフレーム１３に取り付けたレバー２８の先端に取り付けられており、押さえローラ２７はプリンタ本体フレーム１０の側に取り付けられている。紙送りローラ２６および前述の紙送りローラ１７はプリンタ本体フレーム１０に搭載されている不図示の紙送りモータによって回転駆動される。
【００２６】
ここで、ロール紙収納部１１は、その両側の側板１１ａがプリンタ幅方向に移動可能な収納幅可変式のものである。また、プラテンフレーム１３は、前側平行リンク２９および後側平行リンク３０の上端に架け渡され、これによって、４節の平行リンク機構が構成されている。開閉蓋３は前側平行リンク２９に取り付けられており、その下端部の支軸８を中心として起立した閉じ位置から前方に倒れた開き位置までの間で開閉可能であり、プラテンフレーム１３は水平姿勢を維持したまま開閉蓋３と共に開くようになっている。
【００２７】
ロール紙収納部１１に収納されているロール紙１２から上方に引き出される記録紙１２ａは、図２に示すように、紙送りローラ２６および押さえローラ２７の間から上方に引き出され、テンションガイド１９に架け渡されて前方に屈曲させられた後に、紙送りローラ１８および押さえローラ１９の間から、インクジェットヘッド１４とプラテン面１３ａの間を通って、排紙口４から外部に引き出された状態にセットされる。
【００２８】
この状態で、ヘッドキャリッジ１５を往復移動させながら、そこに搭載されているインクジェットヘッド１４により、ロール紙１２から繰り出されて印刷位置に位置している記録紙１２ａの部分の表面に印刷が行われる。記録紙１２ａの幅方向への一連の行印刷が終了した後は所定ピッチだけ記録紙１２ａが送り出され、次の行の印刷が行われる。このように、記録紙１２ａは、所定ピッチで間欠的に送り出されながらインクジェットヘッド１４によって印刷が施される。印刷後の記録紙１２ａは、オートカッタ２０によって幅方向に切断される。切断によって得られた所定長さの記録紙片は、排紙ガイド５に沿って自重によって滑落して、下側のスタッカ７に受け入れら、そこに堆積する。
【００２９】
ロール紙１２の交換時などにおいては開閉蓋３が開けられる。スタッカ７を取り外した後に、蓋開閉レバー６を操作して開閉蓋３のロックを解除し、排紙ガイド５を指先などで摘み前方に引くと、開閉蓋３は支軸８を中心として前方にほぼ水平となるまで開く。開閉蓋３が開くと、プリンタ本体の内部に形成されているロール紙収納部１１が開放状態となり、同時に、ロール紙収納部１１から排紙口４に到る記録紙搬送経路が開放状態になる。すなわち、開閉蓋３を開くと、プラテンフレーム１３、ここに取り付けられている排紙ガイド５、テンションガイド９、紙送りローラ１７、紙送りローラ２６も一緒に開く。この結果、プリンタ前方からロール紙１２の交換作業などを簡単に行うことができる。
【００３０】
（排紙ガイドおよび紙幅ガイド）
図３はロール紙プリンタ１における排紙ガイド５の部分を示す拡大部分断面図であり、図４は排紙ガイド５およびプラテン面１３ａを上から見た場合の部分平面図である。まず、排紙ガイド５は、傾斜ガイド面５ａが形成されている傾斜ガイド板部分５１を備えており、この傾斜ガイド板部分５１の両端には下方に直角に折れ曲がっている左右の側板部分５２、５３が形成されている。左右の側板部分５２、５３における記録紙排出方向の上流側の端部は上方に突出しており、これらの突出板部分５２ａ、５３ａの間には、排紙用ガイドローラ５４が回転自在の状態でプリンタ幅方向に水平に架け渡されている。
【００３１】
排紙ガイド５の傾斜ガイド面５ａにおける記録紙排出方向の上流側の部位には、左右に第１紙幅ガイド２４および第２紙幅ガイド２５が配置されている。これらの第１、第２紙幅ガイド２４、２５は傾斜ガイド面５ａから起立しており、傾斜ガイド面５ａに形成したプリンタ幅方向に延びるスライド溝５ｂに沿って図４に示す両端位置から中央の仕切り板５ｃまでの範囲を互いに逆方向に同一量だけ移動可能である。
【００３２】
これら第１および第２紙幅ガイド２４、２５は、図３から分かるように、平坦な上面２４ａ、２５ａを備えている。これらの上面２４ａ、２５ａは、プラテン面１３ａに対してインクジェットヘッド１４から後退した位置、すなわち、プラテン面１３ａよりも距離Ｌ１だけ低い位置にある。また、上面２４ａ、２５ａの前端２４ｂ、２５ｂ（記録紙排出方向の下流端）から、オートカッタ２０による切断位置２０ａまでの距離Ｌ２は、ロール紙プリンタ１において得ることのできる記録紙片１２ｂの最小長さの１／２以下となるように設定されている。
【００３３】
さらに、第１紙幅ガイド２４および第２紙幅ガイド２５における相互に対峙している内側の側面は、傾斜ガイド面５ａから垂直に起立している第１側面２４ｃおよび第２側面２５ｃとなっている。これら第１、第２側面２４ｃ、２５ｃによって、ロール紙１２をセットする際に、ロール紙収納部１１から引き出された記録紙１２ａの先端側の部位における幅方向の位置が規定される。
【００３４】
ここで、図４から分かるように、第１側面２４ｃ、２５ｃは、全体として相互に平行な平行側面部分２４ｄ、２５ｄとなっているが、それらの記録紙排出方向の上流側の端部分は、上流側に向かって互いに離れる方向に広がった傾斜側面部分２４ｅ、２５ｅとなっている。
【００３５】
ロール紙１２をセットする場合には、先に述べたように開閉蓋３を開けて記録紙搬送路を開放状態にして、ロール紙収納部１１に新しいロール紙１２を収納する。ロール紙１２の紙幅が異なる場合には、側板１１ａを移動させて収納幅を対応する幅となるように調整する。また、ロール紙１２から引き出した記録紙１２ａの先端側の部分を、排紙ガイド５上の左右の第１紙幅ガイド２４および第２紙幅ガイド２５の間に入れて、記録紙１２ａの先端側の部分の幅方向の位置を規定する。この際にも紙幅が相違する場合には、第１、第２紙幅ガイド２４、２５を幅方向にスライドさせて、それらの第１、第２側面２４ｃ、２５ｃにおける平行側面部分２４ｄ、２５ｄが記録紙１２ａの幅に対応する間隔となるように調整する。このようにして、幅方向の位置を設定した後に、開閉蓋３を閉じると、記録紙搬送路に沿って記録紙１２ａが配置されたセット状態が形成される。
【００３６】
次に、印刷時においては、プラテン面１３ａに沿って搬送される記録紙１２ａは印刷後に排紙口４から排出される。排出口４近傍に位置している左右の第１、第２紙幅ガイド２４、２５の上面２４ａ、２５ａは、プラテン面１３ａから距離Ｌ１だけ低い位置にある。したがって、プラテン面１３ａに沿って排出される記録紙１２ａの先端が、これら第１、第２紙幅ガイド２４、２５に当たって折り目などが付いてしまうなどの弊害が発生しない。
【００３７】
また、第１、第２紙幅ガイド２４、２５の第１側面２４ｃ、２５ｃにおける記録排出方向の上流側の端部分は傾斜側面部分２４ｅ、２５ｅとなっている。したがって、記録紙１２ａの先端が下側に大きく折れ曲がった状態で排出された場合であっても、記録紙１２ａの先端は傾斜側面部分２４ｅあるいは２５ｅによって円滑に幅方向の内側に案内される。よって、記録紙１２ａが左右の第１、第２紙幅ガイド２４、２５に当たって、先端に折り目が付く、記録紙１２ａの排出が妨げられるなどの弊害を防止できる。
【００３８】
次に、印刷後において、記録紙１２ａの搬送を停止して、オートカッタ２０により記録紙１２ａを幅方向に切断すると、所定長さの記録紙片１２ｂが得られる。切断直後後の記録紙片１２ｂは、図３において想像線で示すように、後側の部分が、左右の第１、第２紙幅ガイド２４、２５の上面２４ａ、２５ａに乗った状態となる。本例では、これらの上面２４ａ、２５ａの前端２４ｂ、２５ｂから切断位置２０ａまでの距離Ｌ２が、記録紙片１２ｂの最小長さの１／２以下に設定されている。したがって、切断後の記録紙片１２ｂは、上面２４ａ、２５ｂに留まっていることができず、それらの前端２４ｂ、２５ｂから自重によって下方に滑り落ちる。よって、切断後の記録紙片１２ｃが排紙口４の部分に留まり、次に排出される記録紙の搬送の妨げになってしまうという弊害を防止できる。
【００３９】
また、排紙口４から排出された記録紙片１２ｂは、排紙ガイド５の傾斜ガイド面５ａに落下し、この傾斜ガイド面５ａに沿って自重により滑落し、その下方に配置されているスタッカ７に受け入れられる。
【００４０】
（その他の実施の形態）
上記の例はインクジェット式のロール紙プリンタについてのものであるが、本発明は、サーマルヘッドなどのような異なる形式の印刷ヘッドを備えたロール紙プリンタにも適用可能である。
【００４１】
また、上記の例ではプラテン面が水平に配置されているが、プラテン面が水平に配置されていない場合にも本発明を適用可能である。例えば、垂直にプラテン面が配置されている場合には、第１、第２紙幅ガイドの上面が、垂直なプラテン面に対して、印刷ヘッドから所定距離だけ後退した位置となるようにしておけばよい。
【００４２】
さらに、上記の例はスタッカ付きのロール紙プリンタについてのものであるが、スタッカが付いていないロール紙プリンタに対しても本発明を適用可能なことは勿論である。
【図面の簡単な説明】
【００４３】
【図１】本発明を適用したロール紙プリンタの外観斜視図である。
【図２】ロール紙プリンタの主要部分を示す概略断面図である。
【図３】ロール紙プリンタのプラテン面および排紙ガイドの部分を示す部分断面図である。
【図４】図３におけるプラテン面および排紙ガイドの部分を示す部分平面図である。
【符号の説明】
【００４４】
１  ロール紙プリンタ、２  プリンタ本体、３  開閉蓋、４  排紙口、５  排紙ガイド、５ａ  傾斜ガイド面、５ｂ  スライド溝、６  蓋開閉レバー、７  スタッカ、８  支軸、１０  プリンタ本体フレーム、１１  ロール紙収納部、１２  ロール紙、１２ａ  記録紙、１２ｂ  記録紙片、１３  プラテンフレーム、１３ａ  プラテン面、１４  インクジェットヘッド、１４ａ  ノズル面、１５  ヘッドキャリッジ、１６  キャリッジガイド軸、１７  紙送りローラ、１８  押さえローラ、１９  テンションガイド、２０  オートカッタ、２１  固定刃、２２  可動刃、２０ａ  切断位置、２４  第１紙幅ガイド、２４ａ  上面、２４ｂ  前端、２４ｃ  第１側面、２４ｄ  平行側面部分、２４ｅ  傾斜側面部分、２５  第２紙幅ガイド、２５ａ  上面、２５ｂ  前端、２５ｃ  第２側面、２５ｄ  平行側面部分、２５ｅ  傾斜側面部分、２６  紙送りローラ、２７  押さえローラ、２９  前側平行リンク、３０  後側平行リンク、５１  ガイド板部分、５２，５３  側板部分、５４  排紙ガイドローラ、Ｌ１  プラテン面と上面の高低差、Ｌ２  切断位置から上面前端までの距離
【図１】
2009184249.tif 000003
【図２】
2009184249.tif 000004
【図３】
2009184249.tif 000005
【図４】
2009184249.tif 000006